(57)【特許請求の範囲】
【請求項１】
画像読取センサーによって読み取られる原稿が載置される原稿台と、
回動軸を有し、前記原稿台に対して開閉可能に回動する開閉体と、
前記原稿台と当接可能なシート状部材と、前記シート状部材と接合された弾性部材と、前記弾性部材の前記シート状部材と反対側に接合されて前記弾性部材を補強する補強部材とを有し、前記開閉体が閉じた状態で、前記原稿台に載置された前記原稿を押さえる原稿押さえ部と、
弾性を有し、前記開閉体が閉じた状態において、前記開閉体の重さを前記補強部材に伝える、前記補強部材を前記開閉体に固定する複数の第１の固定部と、第２の固定部と、を備え、
前記補強部材は、前記回動軸から離れた自由端側における両端にコーナーを有し、
前記第1の固定部は、前記補強部材の前記両端のコーナーに、前記コーナーを形成する端部に沿うように配置され、
前記開閉体が開かれる際、前記第１の固定部は、前記第２の固定部より伸び量が小さく、前記開閉体の前記自由端側において、前記シート状部材のコーナー側が、前記シート状部材の中央側よりも先に前記原稿台から離間する
ことを特徴とする画像読取装置。
【請求項２】
画像読取センサーによって読み取られる原稿が載置される原稿台と、
回動軸を有し、前記原稿台に対して開閉可能に回動する開閉体と、
前記原稿台と当接可能なシート状部材と、前記シート状部材と接合された弾性部材と、前記弾性部材の前記シート状部材と反対側に接合されて前記弾性部材を補強する補強部材とを有し、前記開閉体が閉じた状態で、前記原稿台に載置された前記原稿を押さえる原稿押さえ部と、
弾性を有し、前記開閉体が閉じた状態において、前記開閉体の重さを前記補強部材に伝える、前記補強部材を前記開閉体に固定する複数の固定部と、を備え、
前記固定部は、前記補強部材における前記回動軸から離れた自由端側において、前記補強部材のコーナー側に配置される第１の固定部と前記補強部材における前記第１の固定部よりも中央側に配置される第２の固定部と、前記補強部材のコーナーを形成する端部の少なくとも一方側に配置される第３の固定部とを含み、
前記開閉体が開かれる際、前記第１の固定部は、前記第２の固定部より伸び量が小さく、前記開閉体の前記自由端側において、前記シート状部材のコーナー側が、中央側よりも先に前記原稿台から離間し、
前記第３の固定部は、前記第１の固定部よりも前記伸び量が大きく、前記開閉体が閉じた状態において、前記第１の固定部を補完して、前記開閉体の重さを前記補強部材に伝える
ことを特徴とする画像読取装置。
【請求項３】
請求項２に記載の画像読取装置であって、
前記開閉体には、原稿を搬送する原稿搬送部が備えられ、
前記第１の固定部は、前記原稿搬送部側に配置されることを特徴とする画像読取装置。
【請求項４】
請求項１に記載の画像読取装置であって、
前記第１の固定部と前記第２の固定部は、同じ部材から構成され、
前記第１の固定部の厚さは、前記第２の固定部の厚さより薄いことを特徴とする画像読取装置。
【発明の詳細な説明】
【技術分野】
【０００１】
本発明は、画像読取装置に関する。
【背景技術】
【０００２】
画像読取装置の一例である、読取センサーを移動させながら原稿台ガラスに載置された原稿の画像の読取を行う所謂フラットベッド型のスキャナーには、原稿台ガラスを開閉するカバーの裏側（原稿台ガラスと対向する面）に、カバーを閉じた際に原稿を押さえる原稿押さえ部が設けられている。原稿押さえ部は、例えばスポンジやウレタンなどの弾性部材を含んで構成され、原稿の形に応じて或る程度変形できる様になっている。
原稿押さえ部がカバーの裏側に固定されていると、加工精度や組み立て精度によっては、原稿押さえ部からの押圧力が原稿台ガラス面に対して均一にかからないことがある。そこで、原稿の押圧面となるシート状部材と、補強板とで弾性部材を挟んだ積層構造の原稿押さえ部を、弾性を有する緩衝部材によってカバーに固定する構成を備え、カバーの加工精度や組み立て精度の影響を少なくしたフラットベッド型のスキャナーがある。
【０００３】
このようなフラットベッド型のスキャナーにおいて、原稿台ガラスに原稿が載置されていない状態でカバーが閉じているとき、原稿押さえ部が原稿台ガラスに密着してしまうことがある。原稿押さえ部が原稿台ガラスに密着した状態で、使用者がカバーを回動させて開けようとすると、原稿押さえ部の緩衝部材などが剥がれてしまう。
そこで、例えば、特許文献１の画像読取装置では、原稿台ガラスより大きなシート状部材を原稿押さえ部に備え、カバーが閉じた状態にあるとき、シート状部材の端部が原稿台ガラスの面より一段高く形成された縁部に位置することで、シート状部材の端部と原稿台ガラスとの間に隙間を設けるようにする構成が開示されている。
【先行技術文献】
【特許文献】
【０００４】
【特許文献１】特開２０００−２６１６０１号公報
【発明の概要】
【発明が解決しようとする課題】
【０００５】
しかしながら、特許文献１の構成では、原稿押さえ部による、原稿の原稿台ガラスに対する密接性が小さくなる虞があるという課題がある。本発明は、フラットベッド型のスキャナーのカバーを閉じた際の、原稿押さえ部による、原稿の原稿台ガラスに対する密接性を確保しつつ、カバーを回動させた際の、原稿押さえ部の原稿台ガラスに対する密着に伴う課題を解決する。
【課題を解決するための手段】
【０００６】
本発明は、上述の課題の少なくとも一部を解決するためになされたものであり、以下の形態または適用例として実現することが可能である。
【０００７】
［適用例１］画像読取センサーによって読み取られる原稿が載置される原稿台と、回動軸を有し、前記原稿台に対して開閉可能に回動する開閉体と、前記原稿台と当接可能なシート状部材と、前記シート状部材と接合された弾性部材と、前記弾性部材の前記シート状部材と反対側に接合されて前記弾性部材を補強する補強部材とを有し、前記開閉体が閉じた状態で、前記原稿台に載置された前記原稿を押さえる原稿押さえ部と、弾性を有し、前記開閉体が閉じた状態において、前記開閉体の重さを前記補強部材に伝える、前記補強部材を前記開閉体に固定する複数の固定部と、を備え、前記固定部は、前記補強部材における前記回動軸から離れた自由端側において、前記補強部材のコーナー側に配置される第１の固定部と前記補強部材における前記第１の固定部よりも中央側に配置される第２の固定部とを含み、前記開閉体が開かれる際、前記第１の固定部は、前記第２の固定部より伸び量が小さく、前記開閉体の前記自由端側において、前記シート状部材のコーナー側が、中央側よりも先に前記原稿台から離間することを特徴とする画像読取装置。
【０００８】
本適用例によれば、弾性を有し、開閉体が閉じた状態において、開閉体の重さを補強部材に伝える、補強部材を前記開閉体に固定する複数の固定部を備える。これにより、原稿の原稿台に対する密接性を確保する。そして、開閉体が開かれる際、第１の固定部は、第２の固定部より伸び量が小さく、開閉体の自由端側において、シート状部材のコーナー側が、中央側よりも先に原稿台から離間する。これにより、シート状部材と原稿台との間に生じた隙間から空気が流入し、シート状部材と原稿台との密着状態が解消される。
【０００９】
［適用例２］前記開閉体には、原稿を搬送する原稿搬送部が備えられ、前記第１の固定部は、前記原稿搬送部側に配置されることを特徴とする上記画像読取装置。
【００１０】
本適用例によれば、使用者が、開閉体における、原稿搬送部が備えられて重量が有る方の側を手で持って持ち上げたとき、補強部材における原稿搬送部が備えられた側に隙間が生じる。
【００１１】
［適用例３］前記固定部は、前記第１の固定部よりも前記伸び量が大きく、前記開閉体が閉じた状態において、前記第１の固定部を補完して、前記開閉体の重さを前記補強部材に伝える、前記補強部材のコーナーを形成する端部の少なくとも一方側に配置される第３の固定部を含むことを特徴とする上記画像読取装置。
【００１２】
本適用例によれば、開閉体が閉じた状態において、原稿の原稿台に対する密接性を確保しつつ、開閉体が開かれる際、シート状部材と原稿台との間に生じた隙間から空気が流入し、シート状部材と原稿台との密着状態が解消される。
【００１３】
［適用例４］前記第１の固定部と前記第２の固定部は、同じ部材から構成され、前記第１の固定部の厚さは、前記第２の固定部の厚さより薄いことを特徴とする上記画像読取装置。
【００１４】
本適用例によれば、前記第１の固定部の伸び量は、前記第２の固定部の伸び量より小さい。これにより、原稿台を閉じた状態にある開閉体を開く方向に回動させたとき、補強部材における第１の固定部に固定された部分が、補強部材における第２の固定部に固定された部分より先に開閉体側に近づくように変形する。
【００１５】
［適用例５］前記第１の固定部は、前記補強部材の辺部に配置されることを特徴とする上記画像読取装置。
【００１６】
本適用例によれば、補強部材の辺部が他の部分より先に開閉体側に近づくように変形するので、補強部材の辺部に原稿台との隙間が生じやすい。
【００１７】
［適用例６］前記第１の固定部における前記補強部材および前記開閉体との接合面は、前記第２の固定部における前記補強部材および前記開閉体との接合面より広いことを特徴とする上記画像読取装置。
【００１８】
本適用例によれば、第１の固定部が、補強部材および開閉体から剥がれてしまうことを抑制できる。
【図面の簡単な説明】
【００１９】
【図１】複合機の外観斜視図。
【図２】（ａ）は、記録装置の概略構成を説明するための側断面図、（ｂ）は、規制部材が備えられた部分を拡大した図。
【図３】開閉体を示す斜視図。
【図４】原稿台を示す平面図。
【図５】開閉体の駆動機構部の側断面図。
【図６】開閉体の下部に取り付けられる原稿押さえ部の分解斜視図。
【図７】原稿押さえ部の斜視図。
【図８】原稿台に対する原稿押さえ部の位置関係を示す平面図。
【図９】原稿台に対する原稿押さえ部の位置関係を示す断面図。
【図１０】補強部材に対する固定部材のその他の配置を示す図。
【図１１】補強部材に対する固定部材のその他の配置を示す図。
【図１２】補強部材に対する固定部材のその他の配置を示す図。
【図１３】厚さが異なる部分を有する固定部材を示す図。
【図１４】実施形態２における開閉体の下部に取り付けられる原稿押さえ部の分解斜視図。
【図１５】実施形態２における原稿台に対する原稿押さえ部の位置関係を示す平面図。
【図１６】実施形態２における原稿台に対する原稿押さえ部の位置関係を示す断面図。
【図１７】（ａ）、（ｂ）は、補強部材における、固定部材および挿入部材の配置を示す図、（ｃ）は、一体に形成された固定部材の一部を示す斜視図。
【発明を実施するための形態】
【００２０】
以下、実施形態について図面に従って説明する。
（実施形態１）
図１は、実施形態１に係る複合機１０の外観斜視図である。複合機１０は、全体として略直方体状をなす装置本体１２を備えている。装置本体１２は、被記録媒体の一例としての用紙に記録（印刷）を行う記録装置１３と、記録装置１３上に設けられて原稿などを読み取り可能な画像読取装置１４とを備えている。Ｘ−Ｙ−Ｚ座標系はＸ方向が画像読取装置１４における原稿の搬送方向、Ｙ方向が原稿の幅方向、Ｚ方向が画像読取装置１４の高さ方向を示している。
【００２１】
画像読取装置１４は、オートドキュメントフィーダー部（以下、ＡＤＦ部）２７を備える。ＡＤＦ部２７は、装置本体１２の背面側（＋Ｙ軸方向側）を回動軸Ｊの支点として回動可能に設けられ、装置本体１２の上部に対して開閉可能な「開閉体」として構成されている。
【００２２】
ＡＤＦ部２７は、原稿を搬送する駆動機構を備えた原稿搬送部２８と、原稿載置面４０と、原稿排出面４２とを備えている。原稿載置面４０に載置された原稿（不図示）は、原稿搬送部２８によって画像読取装置１４の内部に給紙されて読み取られた後に排出され、原稿排出面４２に載置される。尚、本実施形態における「原稿」とは、写真や文書等の原稿を一例とする。
【００２３】
装置本体１２の前面側（−Ｙ軸方向）の上部には、操作部１６が備えられ、操作部１６は、複合機１０を操作するための電源ボタンや印刷設定ボタン、表示パネル等を備えて構成される。
【００２４】
装置本体１２の背面側（＋Ｙ軸方向側）には、用紙（不図示）が載置される背面側トレイ２４が備えられる。背面側トレイ２４に載置された用紙は、記録装置１３内の記録部１３５（図２（ａ）参照）に給送されて記録される。
【００２５】
前面側トレイ２２の下方側（−Ｚ軸方向側）には、複数の用紙（不図示）が収容される用紙収容部２６が設けられている。用紙収容部２６は、装置本体１２における下部にＹ軸方向にスライド可能に備えられ、装置本体１２に着脱可能に構成されている。用紙収容部２６に載置された用紙は、記録装置１３の内の記録部１３５に給送されて記録される。
【００２６】
装置本体１２の前面側には、前面側トレイ２２に取り付けられてＹ軸方向にスライド可能な引き出し部２０が備えられる。背面側トレイ２４または用紙収容部２６から記録部１３５に給送されて記録された用紙は、装置本体１２の前面側に設けられた開口部１８から排出され、前面側トレイ２２、前面側トレイ２２から引き出された状態の引き出し部２０に載置される。
【００２７】
本実施形態の複合機１０は、前面側トレイ２２、引き出し部２０に載置された用紙（不図示）を開口部１８から記録装置１３の内部に給送させ、記録部１３５によって記録を行うことができる。従って、前面側トレイ２２、引き出し部２０は、記録装置１３の内部から外側に排出された用紙の支持面としての機能と、記録装置１３の内部に給送される用紙の支持面としての機能を有する。
【００２８】
次に、記録装置１３の概略構成について説明する。図２（ａ）は、画像読取装置１４の下側（−Ｚ軸方向）に配置された記録装置１３の概略構成を説明するための側断面図である。前面側トレイ２２は、用紙が載置される上面２２ｂを有し、一点鎖線で示すように、Ｘ軸方向に延びる軸２２ａを支点として回動可能に設けられている。前面側トレイ２２には、前述したように、前側に引き出し可能な二点鎖線で示す引き出し部２０が備えられる。
【００２９】
記録装置１３内の後側上部には、用紙を給送する給送部１３０が設けられている。給送部１３０は、用紙が載置される背面側トレイ２４、ホッパー１３０ｂ、及び給送ローラー１３０ｃを備えている。背面側トレイ２４に載置された用紙は、ホッパー１３０ｂの動作によって給送ローラー１３０ｃに押し付けられ、給送ローラー１３０ｃの回転により搬送経路の下流側に向かって送り出される。
【００３０】
記録装置１３内には、給送部１３０から前面側トレイ２２に向けて用紙を搬送する搬送ローラー対１３１，１３２及び排出ローラー対１３３，１３４が搬送経路に沿って配置されている。搬送ローラー対１３２と排出ローラー対１３３との間の位置には、用紙に記録する記録部１３５が配置されている。
【００３１】
記録部１３５は、主走査方向（Ｘ軸方向）に往復移動可能なキャリッジ１３６と、キャリッジ１３６の下部に設けられた記録ヘッド１３７とを備えている。
【００３２】
記録装置１３内における記録部１３５の上方（＋Ｚ軸方向）には、インクを収容したインクカートリッジ１３８が着脱可能に装着されたカートリッジホルダー１３９が配置されている。また、記録部１３５は、記録ヘッド１３７の移動領域と対向する下方位置で用紙を支持する支持部１４０を備えている。記録ヘッド１３７が、インクカートリッジ１３８からチューブ１４１を通じて供給されたインクを、支持部１４０に支持された用紙に噴射することによって、用紙に画像が形成される。
【００３３】
支持部１４０より用紙の搬送方向下流側（−Ｙ軸方向）には、記録ヘッド１３７によって記録された用紙が搬送される経路としての排出搬送経路１６０が形成される。排出搬送経路１６０は、排出ローラー対１３３，１３４によって搬送される用紙の搬送経路である。排出搬送経路１６０の搬送方向下流側には、開口部１８の下側の内側壁部となる載置面１５０が設けられる。排出搬送経路１６０から排出された用紙の後端側が載置面１５０に載置される。
【００３４】
記録装置１３内の後側（＋Ｙ軸方向）下部には、用紙収容部２６に収容された用紙を一枚ずつ記録部１３５に向かう給送経路へ送り出す供給部１４２が設けられている。供給部１４２は、用紙収容部２６内の複数の用紙のうちの最上位の一枚に接触するピックアップローラー１４３と、分離ローラー１４４と、分離ローラー１４４と対をなすリタードローラー１４５とを備えている。
【００３５】
供給部１４２は、搬送ローラー対１３１の後側に配置された中間ローラー１４６と、中間ローラー１４６との間に用紙を挟持する二つの従動ローラー１４７，１４８とを備える。搬送ローラー対１３１は、中間ローラー１４６と連動して回転駆動される中間ローラー１３１ａと、中間ローラー１３１ａと対をなす従動ローラー１３１ｂとを備えている。
【００３６】
装置本体１２に設けられたモーター（図示略）の動力によってピックアップローラー１４３、分離ローラー１４４、及び中間ローラー１４６，１３１ａが、図２における反時計方向に回転すると、用紙収容部２６に収容された用紙が一枚ずつ搬送ローラー対１３１，１３２を経由して記録部１３５へ給送される。
【００３７】
排出搬送経路１６０の下側（−Ｚ軸方向）には、用紙が前面側から背面側（＋Ｙ軸方向）に給送される給送搬送経路１６１が形成される。給送搬送経路１６１には、用紙を背面側となる中間ローラー１３１ａに向かって搬送する搬送ローラー対１６２が配置され、中間ローラー１３１ａの下側には中間ローラー１３１ａとの間に用紙を挟持する従動ローラー１６３が設けられている。
【００３８】
開口部１８から給送搬送経路１６１に挿入された用紙は、搬送ローラー対１６２、中間ローラー１３１ａと従動ローラー１６３とによって背面側に搬送され、中間ローラー１４６と従動ローラー１４７，１４８、によって反転され、中間ローラー１３１ａと従動ローラー１３１ｂ、搬送ローラー対１３２によって記録部１３５に搬送されて記録される。
【００３９】
図２（ｂ）は、Ｘ軸方向から見た図で、図２（ａ）の規制部材１５１が備えられた部分（破線Ａで示した円内）を拡大した図である。給送搬送経路１６１は、上側壁部１５４の案内面１５４ａと下側壁部１５５の案内面１５５ａとが対向して設けられ、案内面１５４ａと案内面１５５ａとの間に設けられた搬送経路である。案内面１５５ａと案内面１５４ａとの高さ方向の隙間の距離は、後側に位置するほど狭くなるように形成される。
【００４０】
規制部材１５１は、揺動軸１５２と、揺動軸１５２を支点として揺動可能な揺動部材１５３とを有する。揺動部材１５３は、Ｘ軸方向に延びる板状の部材でもよいし、揺動軸１５２から下方に突出する複数の棒状部材がＸ軸方向に並んで配置される構成でもよい。
【００４１】
規制部材１５１の前側には、支持部１４０から下方に突出する前側壁部１５６が設けられ、規制部材１５１の背面側には、上側壁部１５４の前側端部１５４ｂが配置される。そのため、規制部材１５１が揺動軸１５２を支点として揺動する範囲において、実線に示すように、揺動部材１５３が前側壁部１５６に当接することにより、図面時計回りの回動が規制され、また、破線に示すように、揺動部材１５３が前側端部１５４ｂに当接することにより、図面反時計回りの揺動が規制される。
【００４２】
載置面１５０の高さは、案内面１５５ａと略同じ高さの位置にある。使用者が、記録前の用紙を載置面１５０に沿って給送搬送経路１６１に向かって移動させると、用紙の先端部が揺動部材１５３を押圧し、揺動部材１５３は図２（ｂ）の破線に示す揺動位置の状態となり、揺動部材１５３と案内面１５５ａとの隙間から用紙を搬送ローラー対１６２に向かって侵入させることができる。
【００４３】
一方、載置面１５０には、記録部１３５によって記録され、排出搬送経路１６０から排出された複数の用紙が積層状態で載置される状態となることがある。このような場合、揺動部材１５３が破線の位置で固定されることにより、積層された用紙の規制部材１５１側の端部が崩れて給送搬送経路１６１に侵入することを規制できる。
【００４４】
次に、画像読取装置１４について説明する。図３は、開閉体としてのＡＤＦ部２７を示す斜視図であり、図４は、画像読取面３４及び画像読取面３６の配置を示す平面図であり、図５は、ＡＤＦ部２７の駆動機構部の側断面図である。
【００４５】
図５の画像読取部３０は、画像読取センサー３２と、画像読取面３４と、「原稿台」としての画像読取面３６とを備えている。画像読取センサー３２は図示しない駆動機構によりＸ軸方向に移動可能に構成されている。また、画像読取センサー３２はＹ軸方向に延びる、画像読み取りのための光学検出器（図示せず）を備えている。
【００４６】
図４の装置本体１２の上部１２ａには画像読取面３４と、画像読取面３６とが並列に配置されている。画像読取面３４及び画像読取面３６は平坦かつ透明なガラス板で構成されている。
【００４７】
画像読取面３６において、Ｙ軸方向の両端部及びＸ軸方向における−Ｘ軸方向側の端部は、装置本体１２内に設けられたフレーム（図示せず）に支持されている。
【００４８】
画像読取面３４は、図４に示す装置本体１２の上部に対してＡＤＦ部２７が閉じた状態にある際、後述する原稿搬送経路３８（図５の一点鎖線参照）の一部と対向するように設けられている。画像読取面３４のＹ軸方向の長さは、原稿搬送経路３８において搬送される原稿の搬送される方向（Ｘ軸方向）と交差する方向すなわち原稿の幅方向に併せて設定されている。
【００４９】
一方で、画像読取面３４のＸ軸方向の長さは、原稿搬送経路３８に沿って搬送された原稿の一部が画像読取面３４に接した際、画像読取センサー３２が画像読取面３４に接した原稿の一部を読み取ることができればよいので、原稿の搬送方向における長さ及び画像読取面３６よりも短く設定されている。画像読取センサー３２は、原稿が画像読取面３４に接した際、画像読取面３４を介して原稿を読み取ることが可能である。
【００５０】
画像読取面３６においてＸ軸方向及びＹ軸方向における長さは、装置本体１２で読取動作可能な原稿の最大サイズに併せて設定されている。本実施形態の複合機１０の画像読取面３６は、Ａ３サイズの原稿が読取可能である。画像読取面３６での原稿の読取動作は、原稿を画像読取面３６にセットした状態で行う。
【００５１】
具体的には、装置本体１２に対してＡＤＦ部２７が開いた状態において、原稿を画像読取面３６にセット（載置）し、原稿のセット後、再度ＡＤＦ部２７を装置本体１２に対して閉じた状態とする。その後画像読取センサー３２をＸ軸方向に移動させながら画像読取面３６に載置された原稿を読み取る。
【００５２】
次に、図３および図５を参照してＡＤＦ部２７の原稿搬送部２８について説明する。原稿搬送部２８は、原稿載置面４０から原稿排出面４２へと延びる原稿搬送経路３８を備えている。原稿搬送部２８は、原稿載置面４０に載置された原稿を原稿搬送経路３８に沿って湾曲反転させて搬送し、原稿排出面４２に排出するように構成されている。
【００５３】
原稿搬送部２８には、原稿搬送経路３８の少なくとも一部を覆うカバー４４が設けられている。カバー４４は、原稿搬送部２８に対して原稿搬送経路３８の一部を覆う状態（図１参照）と原稿搬送経路３８の一部を開放する状態（図示せず）とを取り得る。尚、図３は、説明のために原稿搬送部２８からカバー４４を取り外した状態を示している。
【００５４】
原稿搬送経路３８は、原稿搬送経路３８に沿って配置された複数のローラーと複数の案内部材とを備え、原稿を原稿載置面４０から原稿排出面４２へ搬送可能である。原稿載置面４０の＋Ｘ軸方向側には、図示しない駆動源によって回転駆動させられる給送ローラー４６が設けられている。給送ローラー４６は、原稿載置面４０に載置された複数の原稿において最上位の原稿に当接した際、前記最上位の原稿を原稿搬送経路３８の下流側に給送する。
【００５５】
原稿搬送経路３８において、給送ローラー４６の下流側には、分離ローラー４８と、第１搬送補助ローラー５０と、第１搬送ローラー対５２と、第２搬送補助ローラー５４と、第２搬送ローラー対５６とが原稿の搬送方向に沿って設けられている。尚、分離ローラー４８、第１搬送ローラー対５２及び第２搬送ローラー対５６には、図示しない駆動源より駆動力が供給され、回転駆動するように構成されている。
【００５６】
給送ローラー４６により搬送方向下流側に送り出された原稿は、搬送経路に沿って、分離ローラー４８、第１搬送補助ローラー５０、第１搬送ローラー対５２、第２搬送補助ローラー５４及び第２搬送ローラー対５６の順に搬送され、画像読取面３４に達する。
【００５７】
画像読取面３４に搬送されてきた原稿は、画像読取面３４を介して対向する位置に設けられた画像読取センサー３２により読み取られる。画像読取面３４において画像読取センサー３２により読み取られた原稿は、搬送経路において画像読取面３４の下流側に設けられた第３搬送ローラー対５８、排出ローラー対６０の順に搬送され、原稿排出面４２に排出される。尚、第３搬送ローラー対５８及び排出ローラー対６０には、図示しない駆動源より駆動力が供給され、回転駆動するように構成されている。
【００５８】
次に、原稿押さえ部について説明する。図６は、ＡＤＦ部２７の下部に取り付けられる原稿押さえ部６２の分解斜視図である。図７は、原稿押さえ部６２の斜視図である。図５の原稿押さえ部６２は、ＡＤＦ部２７が装置本体１２に対して閉じた状態にある際、画像読取面３６と対向する領域に取り付けられている。
【００５９】
原稿押さえ部６２は、シート状部材６４と、弾性部材６６と、補強部材６８と、固定部材７０ａ，７０ｂとを備え、図７に示すように「積層体」として構成されている。原稿押さえ部６２において画像読取面３６と対向する側、つまり原稿に近い側にシート状部材６４が配置されている。本実施形態においてシート状部材６４は、厚さ０．２ｍｍのＰＰ（ポリプロピレン）材で構成されている。また、シート状部材６４は図４の画像読取面３６に対応する大きさに形成されている。
【００６０】
図６のシート状部材６４の＋Ｚ軸方向側には弾性部材６６が配置されている。本実施形態において弾性部材６６は厚さ３ｍｍのスポンジ材で構成されている。弾性部材６６も画像読取面３６に対応する大きさ、つまりシート状部材６４と同じ大きさに形成されている。シート状部材６４と弾性部材６６とは接着材によりその全面が接着されている。弾性部材６６の＋Ｚ軸方向側の面、つまり上面６６ａにおいてＹ軸方向側の両端部にはＸ軸方向に延びる粘着テープ７７が貼り付けられている。
【００６１】
弾性部材６６の＋Ｚ軸方向側には、板形状の補強部材６８が配置されている。本実施形態における補強部材６８は、厚さ１ｍｍのポリカーボネイト材で構成されている。補強部材６８は、シート状部材６４及び弾性部材６６と同様に画像読取面３６に対応する大きさに形成されている。補強部材６８は、弾性部材６６のＹ軸方向側の両端部に設けられた粘着テープ７７を介して弾性部材６６に貼り付けられている。
【００６２】
図６において補強部材６８の＋Ｚ軸方向側の上面６８ａには固定部材７０ａ，７０ｂが配置されている。本実施形態において固定部材７０ａ，７０ｂはスポンジ材で構成されている。
【００６３】
図６の円内に示した固定部材７０ａ，７０ｂは、原稿押さえ部６２の分解斜視図に示した固定部材７０ａ，７０ｂをそれぞれ拡大した斜視図である。固定部材７０ａ，７０ｂは、Ｚ軸方向から見た形状が同じ大きさの正方形（本実施形態では、１辺の長さが１５ｍｍ）を有する直方体である。
【００６４】
固定部材７０ｂのＺ軸方向の厚さＬ２（例えば、４ｍｍ）は、固定部材７０ａのＺ軸方向の厚さＬ１（例えば、８ｍｍ）より薄い。固定部材７０ａ，７０ｂの＋Ｚ軸方向側の面、つまり上面及び−Ｚ軸方向側の面、つまり下面にそれぞれ粘着テープ７６が貼り付けられている。
【００６５】
図７に示すように、固定部材７０ａ，７０ｂからなる９個の固定部材が、補強部材６８の上面６８ａの辺部に８個、中央部に１個配置される。Ｙ軸方向の両端部と中央部に３個の固定部材が並ぶ列が、Ｘ軸方向における両端部および中央部に３列並び、全部で９個の固定部材が補強部材６８の上面６８ａに貼り付けられている。すなわち、隣り合う固定部材間のＸ軸方向の距離およびＹ軸方向の距離が均等に配置される。９個の固定部材のうちの１個の固定部材７０ｂは、−Ｙ軸方向の端部における＋Ｘ軸方向の端部に配置される。
【００６６】
固定部材７０ａ，７０ｂの＋Ｚ軸方向側の面（上面）は、粘着テープ７６を介してＡＤＦ部２７の下部２７ａの画像読取面３６と対向する領域に貼り付けられている。固定部材７０ａ，７０ｂの−Ｚ軸方向側の面（下面）は、粘着テープ７６を介して補強部材６８の上面６８ａに貼り付けられている。
【００６７】
図８は、ＡＤＦ部２７が装置本体１２に対して閉じた状態において、画像読取面３６に対する原稿押さえ部６２の位置関係を示す平面図である。ＡＤＦ部２７が装置本体１２に対して閉じた状態では、原稿押さえ部６２は画像読取面３６に対応した位置で、画像読取面３６の全面にわたって当接する。
【００６８】
図９は、ＡＤＦ部２７が、原稿が載置されていない画像読取面３６を閉じた状態において、図８の断面位置Ｂ−Ｂ´においてＹ軸方向から見た図で、画像読取面３６に対する原稿押さえ部６２の位置関係を示す断面図である。ＡＤＦ部２７が装置本体１２に対して閉じた状態、すなわち、ＡＤＦ部２７の下部２７ａが装置本体１２の上部１２ａと当接した状態において、原稿押さえ部６２の弾性部材６６及び固定部材７０ａ，７０ｂは、補強部材６８とＡＤＦ部２７とによって圧縮される。
【００６９】
従って、弾性部材６６及び固定部材７０ａ，７０ｂに生じた圧縮力は、押圧力となりシート状部材６４を介してシート状部材６４の−Ｚ軸方向側に位置する原稿（不図示）を画像読取面３６に均一に押し付けることとなる。これにより、原稿の一部が画像読取面３６から離れてしまい、画像読取センサー３２によって読み取られる画像データの品質が低下することを抑制できる。
【００７０】
前述したように、固定部材７０ａ，７０ｂは、同じ部材によって形成されたもので、固定部材７０ｂのＺ軸方向の厚さＬ２は、固定部材７０ａのＺ軸方向の厚さＬ１より薄い（図６参照）。従って、固定部材７０ｂのＺ軸方向の伸び量は、固定部材７０ａのＺ軸方向の伸び量より短い。
【００７１】
そのため、図９の破線に示すように、使用者が閉じた状態にあるＡＤＦ部２７を開く方向に回動させると、ＡＤＦ部２７の下部２７ａが装置本体１２の上部１２ａから離れ、固定部材７０ｂが粘着テープ７６によって貼り付けられた補強部材６８の部分が、＋Ｚ軸方向に持ち上げられる。
【００７２】
これにより、補強部材６８と接合された弾性部材６６、弾性部材６６に接合されたシート状部材６４も＋Ｚ軸方向に持ち上げられ、シート状部材６４と画像読取面３６との間に、隙間Ｇが形成される。
【００７３】
すなわち、使用者が図９の閉じた状態にあるＡＤＦ部２７を回動させ、ＡＤＦ部２７の下部２７ａが装置本体１２の上部１２ａから離れたとき、固定部材７０ｂが接合された補強部材６８の部分と反対側のシート状部材６４の部分が、固定部材７０ａが接合された補強部材６８の部分と反対側のシート状部材６４の部分より先に持ち上げられ、シート状部材６４と画像読取面３６との間に、隙間Ｇが形成される。そのため、隙間Ｇから空気が流入し、シート状部材６４と画像読取面３６との密着状態が解消される。
【００７４】
以上、本実施形態の複合機１０の画像読取装置１４は、画像読取センサー３２によって読み取られる原稿が載置される原稿台としての画像読取面３６と、回動軸を有し、画像読取面３６に対して開閉可能に回動する開閉体としてのＡＤＦ部２７と、画像読取面３６と当接可能なシート状部材６４と、シート状部材６４と接合された弾性部材６６と、弾性部材６６のシート状部材６４と反対側に接合されて弾性部材６６を補強する補強部材６８とを有し、ＡＤＦ部２７が閉じた状態で、画像読取面３６に載置された原稿を押さえる原稿押さえ部６２と、弾性を有し、ＡＤＦ部２７が閉じた状態において、ＡＤＦ部２７の重さを補強部材６８に伝え、補強部材６８をＡＤＦ部２７に固定する複数の固定部と、を備える。
【００７５】
そして、前記固定部は、ＡＤＦ部２７の回動軸Ｊから離れた自由端側において、補強部材６８のコーナー側に配置される第１の固定部としての固定部材７０ｂと、補強部材６８における固定部材７０ｂよりも中央側に配置される第２の固定部としての固定部材７０ａとを含み、ＡＤＦ部２７が開かれる際、固定部材７０ｂは、固定部材７０ａより伸び量が小さく、ＡＤＦ部２７の自由端側において、シート状部材６４のコーナー側が、中央側よりも先に画像読取面３６から離間する。
【００７６】
この構成によれば、原稿の画像読取面３６に対する密接性を確保しつつ、シート状部材６４と画像読取面３６との間に生じた隙間Ｇから空気が流入し、シート状部材６４と画像読取面３６との密着状態が解消される。
【００７７】
また、固定部材７０ｂは、原稿搬送部２８側に配置される。これにより、使用者が、原稿搬送部２８が備えられて重量が有る方の側を手で持って持ち上げたとき、補強部材６８における原稿搬送部２８が備えられた側に隙間Ｇが生じる。
【００７８】
また、固定部材７０ａと固定部材７０ｂは、同じ部材から構成され、固定部材７０ｂの厚さＬ２は、固定部材７０ａの厚さＬ１より薄い。
【００７９】
これにより、固定部材７０ｂの伸び量は、固定部材７０ａの伸び量より小さい。従って、画像読取面３６に対し閉じた状態にあるＡＤＦ部２７を回動させたとき、補強部材６８における固定部材７０ｂに固定された部分が、補強部材６８における固定部材７０ａに固定された部分より先に開閉体側に近づくように変形する。
【００８０】
また、固定部材７０ｂは、補強部材６８の辺部に配置される。これにより、固定部材７０ｂが配置された補強部材６８の辺部が他の部分より先にＡＤＦ部２７側に近づくように変形するので、補強部材６８の辺部に画像読取面３６との隙間Ｇが生じやすい。
【００８１】
また、固定部材７０ａおよび固定部材７０ｂは、補強部材６８に配置された複数の部材である。これにより、ＡＤＦ部２７において、固定部材７０ａおよび固定部材７０ｂが固定される部位を選択できる。
【００８２】
図１０〜図１２は、本実施形態で説明した図８の補強部材６８に対する固定部材の配置とは異なるその他の配置を示す図である。本実施形態では、固定部材７０ｂは、＋Ｘ軸方向の端部に配置したが、図１０（ａ）に示すように、固定部材７０ｂを、−Ｘ軸方向の端部に配置してもよい。図１０（ｂ）に示すように、固定部材７０ｂを、Ｘ軸方向の両端部にそれぞれ配置してもよい。
【００８３】
図１１（ａ）の固定部材７０ａと固定部材７０ｅとからなる固定部材が、隣り合うＸ軸方向の距離およびＹ軸方向の距離が均等に９個配置される。９個の固定部材のうちの１個の固定部材７０ｅは、残りの８個の固定部材７０ａよりＺ軸方向の厚さが薄く、−Ｙ軸方向の端部における＋Ｘ軸方向の端部に配置される。図１１（ａ）に示すように、固定部材７０ｅのＸ軸方向の長さが、固定部材７０ａのＸ軸方向の長さより長いものを配置してもよい。
【００８４】
これにより、固定部材７０ｅにおける補強部材６８およびＡＤＦ部２７との接合面は、固定部材７０ａにおける補強部材６８およびＡＤＦ部２７との接合面より広い。そのため、固定部材７０ｅが、補強部材６８、ＡＤＦ部２７から剥がれてしまうことを抑制できる。
【００８５】
図１１（ｂ）の固定部材７０ａと固定部材７０ｂとからなる固定部材が、Ｙ軸方向の両端部および中央部に３個並ぶ列がＸ軸方向に６列並び、全部で１８個配置され、Ｘ軸方向の列が２列ずつ近い位置に配置される。図１１（ｂ）に示すように、−Ｙ軸方向の端部における＋Ｘ軸方向の端部に固定部材７０ｂを２個配置し、その他の箇所には、固定部材７０ａを配置してもよい。
【００８６】
図１２（ａ）の固定部材７０ａと固定部材７０ｂとからなる固定部材は、Ｘ軸方向に６個並ぶ列がＹ軸方向に３列並んで１８個配置され、Ｘ軸方向およびＹ軸方向における隣の固定部材との距離は略等しい。図１２（ａ）に示すように、−Ｙ軸方向における＋Ｘ軸方向の端部に、Ｘ軸方向に対して傾斜した方向に並ぶ２個の固定部材７０ｂを配置し、その他の箇所には、固定部材７０ａを配置してもよい。
【００８７】
これにより、画像読取面３６に対し閉じた状態にあるＡＤＦ部２７を開く方向に回動させたとき、シート状部材６４の角部からＸ軸方向に対して傾斜した方向に向かって隙間が順に形成されて空気を流入させることができる。
【００８８】
図１２（ｂ）、（ｃ）は、Ｚ軸方向の厚さが異なる部分を有する固定部材を配置した図である。図１３（ａ）〜（ｆ）は、Ｚ軸方向の厚さが異なる部分を有する固定部材を示す図である。図１２（ｂ）は、固定部材７０ａと固定部材７１とからなる固定部材が、Ｘ軸方向に３個並ぶ列がＹ軸方向に３列並んで９個配置される。
【００８９】
図１３（ａ）は、固定部材７１をＹ軸方向から見たＺ軸方向の厚さを示す図である。固定部材７１は、弾性部７１ａと弾性部７１ｂとから構成され、弾性部７１ａの端部におけるＺ軸方向の厚さＬ３は、弾性部７１ｂのＺ軸方向の厚さＬ４より薄い。弾性部７１ｂのＺ軸方向の厚さＬ４は、固定部材７０ａのＺ軸方向の厚さＬ１（図６参照）と同じである。図１２（ｂ）に示すように、Ｚ軸方向の厚さが異なる固定部材７１を−Ｙ軸方向における＋Ｘ軸方向の端部に配置し、その他の箇所には、固定部材７０ａを配置してもよい。
【００９０】
図１２（ｃ）は、固定部材７０ａと固定部材７２とからなる固定部材が、Ｘ軸方向に３個並ぶ列がＹ軸方向に３列並んで９個配置される。図１３（ｂ）は、固定部材７２をＹ軸方向から見たＺ軸方向の厚さを示す図である。固定部材７２は、弾性部７２ｂと、弾性部７２ｂの両側の弾性部７２ａ，７２ｃから構成され、弾性部７２ａ，７２ｃの端部におけるＺ軸方向の厚さＬ５，Ｌ６は、弾性部７２ｂのＺ軸方向の厚さＬ７より薄い。弾性部７２ｂのＺ軸方向の厚さＬ７は、固定部材７０ａのＺ軸方向の厚さＬ１と同じである。図１２（ｃ）に示すように、Ｚ軸方向の厚さが異なる固定部材７２を−Ｙ軸方向における＋Ｘ軸方向の端部に配置し、その他の箇所には、固定部材７０ａを配置してもよい。
【００９１】
図１３（ｃ）は、固定部材７３を＋Ｚ軸方向から見た図である。固定部材７３は、弾性部７３ａと弾性部７３ｂとから構成される部材であり、弾性部７３ａと弾性部７３ｂのＺ軸方向から見た境界線７３ｃは、矩形状の固定部材７３の対角線上に位置する。
【００９２】
図１３（ｄ）は、固定部材７３の断面位置Ｄ−Ｄ´における矢印方向から見た断面図である。弾性部７３ｂの端部のＺ軸方向の厚さＬ８は、弾性部７３ａの端部のＺ軸方向の厚さＬ９より薄い。このような構成の固定部材７３を−Ｙ軸方向における＋Ｘ軸方向の端部に配置し、その他の箇所には、固定部材７０ａを配置してもよい。
【００９３】
図１３（ｅ）は、固定部材７４をＺ軸方向から見た図である。固定部材７４は、弾性部７４ａと弾性部７４ｂと弾性部７４ｃとから構成される部材であり、弾性部７４ａと弾性部７４ｂのＺ軸方向から見た境界線７４ｄ、弾性部７４ａと弾性部７４ｃのＺ軸方向から見た境界線７４ｅは、矩形状の固定部材７４の対角線７４ｆと略平行である。
【００９４】
図１３（ｆ）は、固定部材７４の断面位置Ｅ−Ｅ´における矢印方向から見た断面図である。弾性部７４ｂ，７４ｃの端部のＺ軸方向の厚さＬ１０，Ｌ１１は、弾性部７４ａのＺ軸方向の厚さＬ１２より薄い。このような構成の固定部材７４を−Ｙ軸方向における＋Ｘ軸方向の端部に配置し、その他の箇所には、固定部材７０ａを配置してもよい。
【００９５】
（実施形態２）
実施形態２では、原稿押さえ部における弾性部材６６と補強部材６８との間に挿入部材を備えた画像読取装置について説明する。図１４は、本実施形態におけるＡＤＦ部２７の下部に取り付けられる原稿押さえ部６２ａの分解斜視図である。
【００９６】
補強部材６８の＋Ｚ軸方向側の上面６８ａには固定部材７０ａ，７０ｃ，７０ｄが配置されている。本実施形態において固定部材７０ａ，７０ｃ，７０ｄはスポンジ材で構成されている。
【００９７】
図１４の円内に示した固定部材７０ａ，７０ｃ，７０ｄは、原稿押さえ部６２ａの分解斜視図に示した固定部材７０ａ，７０ｃ，７０ｄをそれぞれ拡大した斜視図である。固定部材７０ａは、Ｚ軸方向から見た形状が正方形（本実施形態では、１辺の長さが１７ｍｍ）を有する直方体である。
【００９８】
Ｘ軸方向において、固定部材７０ｄの外形長さは、固定部材７０ａ，７０ｃの外形長さより長い。本実施形態では、固定部材７０ｄの外形長さは、固定部材７０ｃの外形長さの約４倍とする。
【００９９】
固定部材７０ｄのＺ軸方向の厚さＬ２は、固定部材７０ａ，７０ｃの厚さＬ１より薄い。固定部材７０ａのＺ軸方向の厚さＬ１は、固定部材７０ｃの厚さＬ１と同じ厚さである。固定部材７０ａ，７０ｃ，７０ｄは、同じスポンジ材によって形成される。そのため、固定部材７０ｄの伸び量は、固定部材７０ａ，７０ｃより小さい。
【０１００】
図１５は、ＡＤＦ部２７が画像読取面３６に対して閉じた状態において、画像読取面３６に対する原稿押さえ部６２ａの位置関係を示す平面図である。ＡＤＦ部２７が装置本体１２に対して閉じた状態では、原稿押さえ部６２ａは画像読取面３６に対応した位置で、画像読取面３６の全面にわたって当接する。
【０１０１】
補強部材６８の上面６８ａにおける＋Ｙ軸方向の端部には、Ｘ軸方向の両端部と中央部に並ぶ３個の固定部材７０ａが配置される。補強部材６８の上面６８ａにおけるＹ軸方向の中央部には、Ｘ軸方向の両端部と中央部に並ぶ３個の固定部材７０ａが配置される。
【０１０２】
補強部材６８の上面６８ａにおける−Ｙ軸方向の端部には、Ｘ軸方向の中央部に１個の固定部材７０ａ、−Ｘ軸方向の端部に１個の固定部材７０ａが配置され、＋Ｘ軸方向の端部には、１個の固定部材７０ｄと１個の固定部材７０ｃが配置される。＋Ｘ軸方向の端部に配置された１個の固定部材７０ｄと１個の固定部材７０ｃの距離は、数ｍｍの距離をおいて配置される。
【０１０３】
固定部材７０ａ，７０ｃ，７０ｄの＋Ｚ軸方向側の面、つまり上面及び−Ｚ軸方向側の面、つまり下面にそれぞれ粘着テープ７６が貼り付けられている。固定部材７０ａ，７０ｃ，７０ｄの＋Ｚ軸方向側の面（上面）は、粘着テープ７６を介してＡＤＦ部２７の下部２７ａの画像読取面３６と対向する領域に貼り付けられている。固定部材７０ａ，７０ｃ，７０ｄの−Ｚ軸方向側の面（下面）は、粘着テープ７６を介して補強部材６８の上面６８ａに貼り付けられている。
【０１０４】
図１６は、ＡＤＦ部２７が、画像読取面３６を閉じた状態において、図１５の断面位置Ｃ−Ｃ´においてＹ軸方向から見た図で、画像読取面３６に対する原稿押さえ部６２ａの位置関係を示す断面図である。
【０１０５】
図１４、図１５、図１６の挿入部材８０は、原稿押さえ部６２ａにおける弾性部材６６と補強部材６８との間に配置される部材である。図１６に示したように、挿入部材８０は、補強部材６８と弾性部材６６との間に挿入された状態で配置される。図１５の破線で示した挿入部材８０は、補強部材６８のＸ軸方向における中央部に配置され、Ｙ軸方向において、中央部より−Ｙ軸方向の位置に配置される。
【０１０６】
図１６のＡＤＦ部２７が画像読取面３６を閉じた状態にあるとき、補強部材６８は図１５の固定部材７０ａ，７０ｂ，７０ｃによって−Ｚ軸方向に押圧される。これにより、シート状部材６４は、画像読取面３６に当接し押圧する状態にある。また、挿入部材８０は、弾性部材６６が圧縮されて凹状となった部分に侵入した状態にある。
【０１０７】
図１６の状態のＡＤＦ部２７が開ける方向に回動すると、固定部材７０ａ，７０ｃ，７０ｄによって−Ｚ軸方向に作用していた補強部材６８への押圧力がなくなり、補強部材６８は、破線に示すように、＋Ｚ軸方向に凸状となって湾曲変形する。これにより、弾性部材６６およびシート状部材６４も＋Ｚ軸方向に凸状となって湾曲変形する。
【０１０８】
挿入部材８０は、Ｙ軸方向において中央部より−Ｙ軸方向の位置に配置されるので、補強部材６８、弾性部材６６、シート状部材６４のＹ軸方向において回動軸Ｊと反対側の端部が＋Ｚ軸方向に凸状となって湾曲変形する。そのため、シート状部材６４のＹ軸方向において回動軸Ｊと反対側の端部と画像読取面３６との間に隙間が形成され、その隙間から空気が流入し、シート状部材６４と画像読取面３６との密着状態が解消される。
【０１０９】
本実施形態における固定部は、第１の固定部としての固定部材７０ｄよりも伸び量が大きく、開閉体としてのＡＤＦ部２７が閉じた状態において、固定部材７０ｄを補完して、ＡＤＦ部２７の重さを補強部材６８に伝え、補強部材６８のコーナーを形成する端部に配置される第３の固定部としての固定部材７０ｃを含む。
【０１１０】
この構成によれば、ＡＤＦ部２７が閉じた状態において、原稿の画像読取面３６に対する密接性を確保しつつ、ＡＤＦ部２７が開かれる際、シート状部材６４と画像読取面３６との間に生じた隙間から空気が流入し、シート状部材６４と画像読取面３６との密着状態が解消される。本実施形態のその他の構成は、実施形態１で説明した構成と同じである。
【０１１１】
また、固定部材７０ｄ（第１の固定部）における補強部材６８およびＡＤＦ部２７との接合面は、固定部材７０ａ（第２の固定部）、固定部材７０ｃ（第３の固定部）における補強部材６８およびＡＤＦ部２７との接合面より広い。これにより、ＡＤＦ部２７が回動するとき、固定部材７０ｄがＡＤＦ部２７や補強部材６８から剥がれてしまうことを抑制する。
【０１１２】
図１７（ａ）、（ｂ）は、補強部材６８における、固定部材７０ａ，７０ｃ，７０ｄおよび挿入部材８０の配置を示す図である。本実施形態では、図１５の挿入部材８０は、Ｘ軸方向における中央部に配置されたが、図１７（ａ）に示すように、Ｘ軸方向における＋Ｘ軸側に配置してもよい。また、図示しないが、挿入部材８０を補強部材６８のＸ軸方向における−Ｘ軸側に配置してもよい。
【０１１３】
また、本実施形態では、固定部材７０ｄは、固定部材７０ｃの−Ｘ軸方向側に備えられたが、図１７（ｂ）に示すように、固定部材７０ｄが、固定部材７０ｃの＋Ｙ軸方向側に備えられてもよい。
【０１１４】
図１７（ｃ）は、一体に形成された固定部材７５の一部を示す斜視図である。実施形態１、実施形態２では、複数の固定部材からなる固定部を構成したが、スポンジ材などの部材からなる一体に形成され、弾性部材６６の全面に亘って補強可能な大きさを有する固定部材７５によって固定部を構成してもよい。
【０１１５】
固定部材７５は、弾性部７５ａと弾性部７５ｂとが一体に形成されたもので、弾性部７５ｂは、−Ｙ軸方向の端部における＋Ｘ軸方向の端部に形成され、弾性部７５ｂのＺ軸方向の厚さＬ１３は、弾性部７５ａのＺ軸方向の厚さＬ１４より薄い。
【０１１６】
実施形態１、実施形態２における開閉体は、原稿搬送部２８を備えたＡＤＦ部２７によって構成されたが、原稿台となる画像読取面を開閉可能に回動するカバーによって開閉体が構成される画像読取装置にも適用する。
【０１１７】
実施形態１、実施形態２の固定部としての固定部材７０ａ〜７０ｄは、スポンジ材によって構成されたが、コイル状のバネ部材によって構成してもよい。また、原稿押さえ部６２における補強部材６８は板状の部材によって構成されたが、線状の部材を網状にした部材によって構成し、弾性部材を補強してもよい。
【符号の説明】
【０１１８】
１４…画像読取装置、２７…ＡＤＦ部、２８…原稿搬送部、３２…画像読取センサー、３６…画像読取面、６２，６２ａ…原稿押さえ部、６４…シート状部材、６６…弾性部材、６８…補強部材、７０ａ〜７０ｅ、７１〜７５…固定部材、８０…挿入部材、Ｊ…回動軸、Ｌ１〜Ｌ１４…厚さ。
【図１】
0006402975.tif 000002
【図２】
0006402975.tif 000003
【図３】
0006402975.tif 000004
【図４】
0006402975.tif 000005
【図５】
0006402975.tif 000006
【図６】
0006402975.tif 000007
【図７】
0006402975.tif 000008
【図８】
0006402975.tif 000009
【図９】
0006402975.tif 000010
【図１０】
0006402975.tif 000011
【図１１】
0006402975.tif 000012
【図１２】
0006402975.tif 000013
【図１３】
0006402975.tif 000014
【図１４】
0006402975.tif 000015
【図１５】
0006402975.tif 000016
【図１６】
0006402975.tif 000017
【図１７】
0006402975.tif 000018